(57)【要約】【課題】  老眼鏡を着用していない時にルーペとして使用することもでき、更に一歩進んで、使い勝手や使用時の印象も良好で、しかも、収納もコンパクトで破損等も生じ難いルーペ機能を有する眼鏡入りケースを提供すること。【解決手段】  左右一対の凸レンズ11・11を備えたフロント枠12に、左右テンプル13・13が前記フロント枠12の上縁側、又は下縁側へ平坦となる如く折畳み可能にヒンジ連結せしめた薄型眼鏡１と；この薄型眼鏡１が収容されるケースであって、収容された薄型眼鏡１のレンズ11・11に対面する前後面に透視窓部23・23を備えたグラスケース２とを含んで構成し、当該グラスケース２に薄型眼鏡１を収容した状態で前記透視窓部23・23からレンズ11を通して対象物を見たとき、当該レンズ11の屈折率により対象物を拡大して明視可能とした【選択図】  図１
2011110123.tif 000002
【特許請求の範囲】
【請求項１】
左右一対の凸レンズ11・11を備えたフロント枠12に、左右テンプル13・13が前記フロント枠12の上縁側、又は下縁側へ平坦となる如く折畳み可能にヒンジ連結せしめた薄型眼鏡１と；この薄型眼鏡１が収容されるケースであって、収容された薄型眼鏡１のレンズ11・11に対面する前後面に透視窓部23・23を備えたグラスケース２とを含んで構成され、
当該グラスケース２に薄型眼鏡１を収容した状態で前記透視窓部23・23からレンズ11を通して対象物を見たとき、当該レンズ11の屈折率により対象物を拡大して明視可能であることを特徴とするルーペ機能を有する眼鏡入りケース。
【請求項２】
グラスケース２内に、薄型眼鏡１を損傷から保護する緩衝材24が配設されていることを特徴とする請求項１記載に記載のルーペ機能を有する眼鏡入りケース。
【請求項３】
グラスケース２内に配設する緩衝材24として、ケースの形状に合わせて成形された合成樹脂シートに短繊維をフロック加工で接着した起毛シート材24aが使用され、かつ、当該起毛シート材24aには、薄型眼鏡１をケース内に固定する突起部Ｔ・Ｔが設けられていることを特徴とする請求項２記載のルーペ機能を有する眼鏡入りケース。
【請求項４】
グラスケース２のケース本体に設けられた窓孔23aに対し、当該窓孔23aと同形状の嵌合凸部を備えた透明シート23bを裏側から当てて固定することにより透視窓部23の表面をケース本体と面一となるようにしたことを特徴とする請求項１〜３の何れか一つに記載のルーペ機能を有する眼鏡入りケース。
【請求項５】
グラスケース２のバンド止着部25に紐材又はチェーン材から成る首掛けバンド３が取着されていることを特徴とする請求項１〜４の何れか一つに記載のルーペ機能を有する眼鏡入りケース。
【請求項６】
グラスケース２に収容されている薄型眼鏡１のテンプル13の各基端部13a・13aが、両リム12aの外側縁と縦型のピボット軸承ヒンジＰ・Ｐにより連結されて、これらピボット軸承ヒンジＰを支点として前記リム12aの上縁部又は下縁部側へ平坦に折畳み可能に構成されていることを特徴とする請求項１〜５の何れか一つに記載のルーペ機能を有する眼鏡入りケース。
【請求項７】
グラスケース２に収容されている薄型眼鏡１のテンプル13の各基端部13a・13aが、両リム12aの上縁部又は下縁部とラジアル軸承ヒンジＲ・Ｒによって連結されて、これらラジアル軸承ヒンジＲを支点としてリム12aの反対の縁部側へ平坦に折畳み可能に構成されていることを特徴とする請求項１〜５の何れか一つに記載のルーペ機能を有する眼鏡入りケース。
【発明の詳細な説明】
【技術分野】
【０００１】
本発明は、眼鏡及びグラスケースの改良、詳しくは、老眼鏡の携行時にルーペとして使用することができ、また、使い勝手も良く、収納もコンパクトで破損等も生じ難いルーペ機能を有する眼鏡入りケースに関するものである。
【背景技術】
【０００２】
一般的に、老視者の視力を補助する手段としては老眼鏡やルーペが用いられており、通常、両手を使う手作業や長時間の読書等の際には老眼鏡が着用され、新聞などのちょっとした読み物を行うときにはルーペが使用されるケースが多い。
【０００３】
また、上記老眼鏡やルーペは日常生活で常に必要とするものではないことから、必要な時以外はバッグ等に入れて携帯することが多く、このような事情から、老眼鏡とルーペを一緒に携帯し易くするために、老眼鏡のケースにルーペを一体的に取り付ける工夫も従来提案されていた（例えば、特許文献１参照）。
【０００４】
ところが、上記従来技術に係る構造では、ルーペが外付けされていたため使用している最中にグラスケースを落とすと、その落下の衝撃でルーペとケースの連結部が破損してしまうことがあり、また眼鏡ケースをバッグ等に収納する際にも、ルーペを外付けした分、スペースが余分に必要になって嵩張り易かった。
【０００５】
一方、従来においては、グラスケースの上面部或いは下面部にフレネルレンズを取り付けて、このレンズを通して対象物を見ることによりグラスケースをルーペとして使用できるようにする技術も開示されている(特許文献２参照)。
【０００６】
しかしながら、上記従来技術に係るグラスケースは、ルーペとして使用する度に収容した老眼鏡をケースからいちいち取り出す必要があったため、使用者にとって使い勝手が悪いだけでなく、蓋を開けてケースを覗き込む様子は見た目的にも格好の良いものではなかった。
【先行技術文献】
【特許文献】
【０００７】
【特許文献１】実開昭５３−６６９５３号公報（第１−３頁、図１図）
【特許文献２】実開平３−６４０２２号公報（第１−５頁、図１−３図）
【発明の開示】
【発明が解決しようとする課題】
【０００８】
本発明は、上記の如き問題に鑑みて為されたものであり、その目的とするところは、老眼鏡を着用していない時にルーペとして使用することもでき、更に一歩進んで、使い勝手や使用時の印象も良好で、しかも、収納もコンパクトで破損等も生じ難いルーペ機能を有する眼鏡入りケースを提供することにある。
【課題を解決するための手段】
【０００９】
本発明者が上記課題を解決するために採用した手段を添付図面を参照して説明すれば次のとおりである。
【００１０】
即ち、本発明は、左右一対の凸レンズ11・11を備えたフロント枠12に、左右テンプル13・13が前記フロント枠12の上縁側、又は下縁側へ平坦となる如く折畳み可能にヒンジ連結せしめた薄型眼鏡１と；この薄型眼鏡１が収容されるケースであって、収容された薄型眼鏡１のレンズ11・11に対面する前後面に透視窓部23・23を備えたグラスケース２とを含んで構成し、
当該グラスケース２に薄型眼鏡１を収容した状態で前記透視窓部23・23からレンズ11を通して対象物を見たとき、当該レンズ11の屈折率により対象物を拡大して明視可能とした点に特徴がある。
【００１１】
また本発明は、上記課題を解決するために上記手段に加え、グラスケース２内に、薄型眼鏡１が内壁と接触して損傷しないようにするための緩衝材24を配設するという技術的手段を採用することができる。
【００１２】
また更に、本発明は、上記課題を解決するために上記手段に加え、グラスケース２内に配設する緩衝材24として、ケースの形状に合わせて成形された合成樹脂シートに短繊維をフロック加工で接着した起毛シート材24aを使用し、かつ、当該起毛シート材24aに、薄型眼鏡１をケース内に固定する突起部Ｔ・Ｔを設けるという技術的手段を採用することもできる。
【００１３】
そしてまた、本発明は、上記課題を解決するために上記手段に加え、グラスケース２のケース本体に設けられた窓孔23aに対し、当該窓孔23aと同形状で所定厚みの嵌合凸部を備えた透明シート23bを裏側から当てて固定することにより透視窓部23の表面側がケース本体と面一になるようにするという技術的手段を採用することもできる。
【００１４】
他方また、本発明は、上記課題を解決するために上記手段に加え、グラスケース２のバンド止着部25に紐材又はチェーン材から成る首掛けバンド３を取着するという技術的手段を採用することもできる。
【００１５】
一方、本発明は、上記課題を解決するために上記手段に加え、グラスケース２に収容されている薄型眼鏡１のテンプル13の各基端部13a・13aを、両リム12aの外側縁と縦型のピボット軸承ヒンジ(pivot-bearing hinge)Ｐ・Ｐによって連結して、これらピボット軸承ヒンジＰ・Ｐを支点として前記リム12aの上縁部又は下縁部側へ平坦に折畳み可能に構成するという技術的手段を採用することができる。
【００１６】
また本発明は、上記課題を解決するために、必要に応じて上記手段に加え、グラスケース２に収容されている薄型眼鏡１のテンプル13の各基端部13a・13aを、両リム12aの上縁部又は下縁部とラジアル軸承ヒンジ(radial bearing hinge)Ｒ・Ｒによって連結して、これらラジアル軸承ヒンジＲを支点としてリム12aの反対の縁部側へ平坦に折畳み可能に構成するという技術的手段を採用することもできる。
【発明の効果】
【００１７】
本発明では、テンプルがフロント枠に対して上縁側又は下縁側に平坦となるように折り畳み可能なテンプルを有する老眼鏡を使用して、この老眼鏡を収容するグラスケースの対向する広面部に透明な窓部を設けたことにより、老眼鏡を収容した状態でケースの窓部から対象物を見たときに、老眼鏡のレンズを通して対象物を拡大して視認することが可能となるため、ルーペとしての使用が可能となる。
【００１８】
そしてこれによって、上記老眼鏡とグラスケースさえ携帯すればわざわざルーペを買って持ち歩く必要性がなくなるため、高齢者にとって使用面と経済面の両方において非常に都合が良い。
【００１９】
また、上記老眼鏡は、折り畳んだテンプルがフロント枠の上縁側又は下縁側に配置されるため、グラスケースの窓部から対象物を見たとき、レンズ内をテンプルが横断して視界を遮る心配もなく良好な視界を確保できる。
【００２０】
しかも、上記老眼鏡は、テンプルを折り畳んだ状態で薄型となるため、グラスケースも合わせて薄型とすることができ、これによってグラスケースをバッグ等にコンパクトに収納することができる。また、ルーペをケースに外付けする必要もないことから、破損等が生じる心配もない。
【００２１】
そしてまた、上記老眼鏡入りのグラスケースをルーペとして使用する際には、ケースを掴んで対象物の手前に持ってくるだけでよいため、非常に使い易く、またその使用態様は通常のルーペを使用する様子と比べて特に違和感を生じるようなものでないため、周囲に悪印象を与えることもない。
【００２２】
したがって、本発明により、携帯用のルーペを別途購入する必要がなく、使い勝手にも優れた老眼鏡とグラスケースのセットを提供できることから、本発明の実用的利用価値は頗る高い。
【図面の簡単な説明】
【００２３】
【図１】本発明の実施例１における眼鏡入りケースを表わす全体斜視図である。
【図２】本発明の実施例１における薄型眼鏡を表わす全体斜視図である。
【図３】本発明の実施例１における眼鏡入りケースを表わす全体斜視図である。
【図４】本発明の実施例１における眼鏡入りケースを表わす全体正面図である。
【図５】本発明の実施例１におけるグラスケースの構造を表わす分解斜視図である。
【図６】本発明の実施例１における眼鏡入りケースの使用状態を表わす状態説明図である。
【図７】本発明の実施例１における眼鏡入りケースの使用状態を表わす状態説明図である。
【図８】本発明の実施例１の変形例における眼鏡入りケースを表わす全体正面図である。
【図９】本発明の実施例１における眼鏡入りケースを首に掛けた状態を表わす状態説明図である。
【図１０】本発明の実施例２における眼鏡入りケースを表わす全体斜視図である。
【図１１】本発明の実施例２における薄型眼鏡を表わす全体斜視図である。
【図１２】本発明の変形例における眼鏡入りケースを表わす説明断面図である。
【図１３】本発明の変形例における眼鏡入りケースを表わす全体正面図である。
【発明を実施するための形態】
【００２４】
本発明を実施するための最良の形態を具体的に図示した図面に基づいて更に詳細に説明すると、次のとおりである。
【００２５】
『実施例１』
本発明の実施例１は、図１から図９に示される。同図において、符号１で指示するものは薄型眼鏡であり、符号２で指示するものはグラスケースである。符号３で指示するものは、首掛けバンドである。
【００２６】
この実施例１においては、左右一対の凸レンズ11・11を備えたフロント枠12の両リム12aの外側縁に、テンプル13の各基端部13a・13aを縦型のピボット軸承ヒンジＰ・Ｐで連結して薄型眼鏡１を構成し、左右テンプル13・13をリム12aの上縁部側へ平坦に折畳み可能としている（図１、図２参照）。
【００２７】
なお実施例１では、上記薄型眼鏡１にプラスチックフレームを採用すると共に、左右テンプル13・13を折り畳んだときにフロント枠12の上縁側から下縁側を包囲する湾曲形状としている。
【００２８】
また、上記薄型眼鏡１を収容するグラスケース２は、下側容器21に上蓋22をヒンジ連結して開閉可能とする一方、上蓋22を閉めた状態で薄型眼鏡１の凸レンズ11・11と対面する下側容器21と上蓋22の所定部位に、透明材料から成る透視窓部23・23を設けている(図３、図４参照)。
【００２９】
ちなみに実施例１では、アルミ板材から作製したグラスケース２のケース本体に窓孔23aを設けると共に、この窓孔23aに同形状の嵌合凸部を備える透明シート23bを裏側から当てて固定することにより、表面がケース本体と面一な透視窓部23を形成している(図５参照)。
【００３０】
また実施例１では、グラスケース２に収容した薄型眼鏡１が内壁にぶつかって損傷しないようにケース内に緩衝材24を設けており、本実施例ではその緩衝材24として、下側容器21及び上蓋22の形状に合わせて成形した合成樹脂シートに短繊維をフロック加工で接着した高級感のある起毛シート材24aを使用している。
【００３１】
また更に、上記グラスケース２の緩衝材24である起毛シート24aに設けた突起部Ｔ・Ｔによって薄型眼鏡１をケース内で固定することで、薄型眼鏡１がケース内でガタつかないようにしている。
【００３２】
そして上記のように構成された薄型眼鏡１入りのグラスケース２を手で持って、図６及び図７に示すように透視窓部23・23を通して奧側の対象物を見れば、薄型眼鏡１の凸レンズ11により対象物を拡大して視認することができるためグラスケース２をルーペとして使用できる。
【００３３】
また実施例１では、グラスケース２の透視窓部23内に薄型眼鏡１の左右両方の凸レンズ11・11が配置されるようにして、透視窓部23と凸レンズ11・11の重複領域をできるだけ広く形成しているが、透視窓部23の形態は図８に示すように各凸レンズ11・11に合わせた位置に分離して設けてもよい。
【００３４】
また、上記グラスケース２では、透視窓部23から対象物を見たときに薄型眼鏡１の折り畳んだテンプル13がレンズ11内を横断して視界を遮ることもないため、ルーペとして良好な視界を確保できる。
【００３５】
しかも、上記薄型眼鏡１は、折り畳んだテンプル13がフロント枠11に重ならない分、厚みを抑えることができるため、グラスケース２を薄型化して衣服のポケットやバッグ等にコンパクトに収納できる。
【００３６】
そしてまた、上記薄型眼鏡１入りのグラスケース２をルーペとして使用する際には、グラスケース２のサイド部分を掴んで対象物の手前に配置するだけでよいため、非常に扱い易く見た目の違和感も生じない。
【００３７】
また実施例１では、上記グラスケース２の側縁部にリング状のバンド止着部25を設けているため、このバンド止着部25にチェーン材から成る首掛けバンド３を取着すれば、図９に示すように使用者の首に首掛けバンド３を掛けてグラスケース２をぶら下げた状態で携帯することができる。
【００３８】
またこれにより、グラスケース２を必要に応じて手軽に使用できるだけでなく、使用中にグラスケース２を落としてしまう心配もないため、高齢者が安心して使用することができる。
【００３９】
『実施例２』
次に、本発明の実施例２を図１０及び図１１に基づいて説明する。この実施例２においては、薄型眼鏡１のテンプル13の各基端部13a・13aを、両リム12aの上縁部にラジアル軸承ヒンジＲ・Ｒによって連結して、これらラジアル軸承ヒンジＲを支点としてリム12aの下縁部側へ平坦に折畳み可能に構成している(図１０、図１１参照)。
【００４０】
また、上記薄型眼鏡１のテンプル13・13には、弾性を有する合成樹脂材料を使用すると共に、テンプル13・13の形状を、折り畳んだときにフロント枠12の連結されたリム12aの上縁部から外側縁部、下縁部を包囲可能な湾曲形状としている。
【００４１】
そして、上記薄型眼鏡１をグラスケース２内にテンプル13・13が突っ張った状態で収容すれば、リム12a・12aや凸レンズ11・11を傷付かないように保護できるだけでなく、携帯時の振動でケース内の薄型眼鏡１がガタ付くこともないため、緩衝材を省くことができる。
【００４２】
また、上記薄型眼鏡１の構造に関しては、テンプル13・13の基端部13a・13aをフロント枠のリム12aの下縁側に連結して、テンプル13・13を上縁側方向に回動自在に枢支することも可能であり、テンプル13・13の材料に関しても、弾性材料であれば金属材料を使用してもよい。
【００４３】
本発明は、概ね上記のように構成されるが、本発明は図示の実施形態に限定されるものでは決してなく、「特許請求の範囲」の記載内において種々の変更が可能であって、例えば、薄型眼鏡１のフレームやグラスケース２の材料は特に限定されることなく、金属材料や合成樹脂材料、木材などから自由に選択して使用することができ、また首掛けバンド３には紐材を用いることもできる。
【００４４】
また、薄型眼鏡１の形態についても、折畳み時にテンプル13・13がフロント枠12の上縁部または下弦部側に平坦な状態で配置される構造であれば、他の構造を採用してもよい。
【００４５】
そしてまた、グラスケース２の透視窓部23については、図１２に示すように外周溝が付いたフレネルレンズ23cを窓孔23aに嵌め込んで拡大率を上げることもでき、また緩衝材24にスポンジ等の発泡体24bを使用することもできる。
【００４６】
また、グラスケース２は、図１３に示すように容器のサイド部に開閉蓋を設けて、この蓋を開けた状態で容器内に薄型眼鏡１を差し込む構造を採用してもよく、何れのものも本発明の技術的範囲に属する。
【産業上の利用可能性】
【００４７】
近年、高齢化社会の到来によって老眼鏡やルーペの需要は拡大しており、高齢者の使い勝手を考慮したアイテムが市場で求められている。また、頻繁に外出するような活発な高齢者が増えることを考えると、上記アイテムの携帯の利便性を更に改良する必要がある。
【００４８】
そのような中で、本発明のルーペ機能を有する眼鏡入りケースは、ルーペの携帯が不要となる上に、衣服のポケット等から取り出して簡単に使用できる有用な技術であることから、市場における需要は大きく、その産業上の利用価値は非常に高い。
【符号の説明】
【００４９】
１  薄型眼鏡
11  凸レンズ
12  フロント枠
12a  リム
13  テンプル
13a  基端部
２  グラスケース
21  下側容器
22  上蓋
23  透視窓部
23a  窓孔
23b  透明シート
23c  フレネルレンズ
24  緩衝材
24a  起毛シート材
24b  発泡体
25  バンド止着部
３  首掛けバンド
Ｐ  ピボット軸承ヒンジ
Ｒ  ラジアル軸承ヒンジ
Ｔ  突起部
【図１】
2011110123.tif 000003
【図２】
2011110123.tif 000004
【図３】
2011110123.tif 000005
【図４】
2011110123.tif 000006
【図５】
2011110123.tif 000007
【図６】
2011110123.tif 000008
【図７】
2011110123.tif 000009
【図８】
2011110123.tif 000010
【図９】
2011110123.tif 000011
【図１０】
2011110123.tif 000012
【図１１】
2011110123.tif 000013
【図１２】
2011110123.tif 000014
【図１３】
2011110123.tif 000015